(57)【特許請求の範囲】
【請求項１】
外側本体部と内側本体部とが縫合された本体部と、
前記本体部の角近傍において、前記本体部の内面との間に隙間を生むように、前記本体部の上辺と左右いずれかの辺との間にと延びた留め帯部材と、
前記留め帯部材が設けられている前記左部分又は前記右部分のいずれかの下方の角に設けられた第１の札支え部と、
前記留め帯部材が設けられていない前記左部分又は前記右部分のいずれかの下方の角に設けられた第２の札支え部と、を有し、
前記本体部は中央で左右に折り曲げることで、見開きの状態から左部分と右部分を重ねた二つ折りの状態にすることができ、前記留め帯部材は、前記左部分又は前記右部分のいずれかの角近傍に設けられ、当該留め帯部材が設けられていない前記左部分又は前記右部分のいずれかの角を前記隙間に挿入することで前記二つ折りの状態となり、
前記第１及び第２の札支え部は、大きい扇形から小さい扇形を切り抜いた２つの円弧を有する形状であり、前記第２の札支え部の内側の円弧の半径は、前記第１の札支え部の外側の円弧の半径以上である
財布。
【請求項２】
前記留め帯部材の一端は、前記外側本体部に固定され、前記留め帯部材の他端は、前記内側本体部側から前記外側本体部側に折り返され、前記他端の先端は、前記外側本体部に設けられたボタン部に装着可能であり、前記他端の前記折り返しの際には、前記留め帯部材の幅方向の中心が、前記外側本体部の前記左部分の左辺又は前記右部分の右辺の中央よりも下の位置を通るように前記ボタン部が設けられている
請求項１に記載の財布。
【請求項３】
前記第１及び第２の札支え部の前記円弧の中心角は９１度である
請求項１又は請求項２に記載の財布。
【請求項４】
前記外側本体部と、前記内側本体部の間には、カード収納部が設けられており、
前記留め帯部材の一部は、前記カード収納部の挿入口の一部を封止可能である
請求項１乃至請求項３のいずれか１項に記載の財布。
【請求項５】
前記外側本体部の前記左部分又は前記右部分のうち、前記留め帯部材が設けられていない側には、略対角線状に開口部が設けられ、当該開口部にファスナー部材及び内布を縫合することで、小銭収納部を構成した
請求項１乃至請求項４のいずれか１項に記載の財布。
【請求項６】
前記開口部の傾斜角は、前記外側本体部の左部分の左辺に対して４５度であり、その長さは９０ｍｍ以下である
請求項５に記載の財布。
【発明の詳細な説明】
【技術分野】
【０００１】
本発明は、小型且つ薄型の財布に関する。
【背景技術】
【０００２】
従来、多種多様なデザインの財布が市場にて提供されている。そのような中で、財布については、小型、薄型、軽量化に対する需要者のニーズも高い。特に、昨今における電子マネーの浸透、キャッシュレス化の推進という社会的な流れの中では、このような小型且つ薄型の財布の実現に対するニーズは益々高まっている。
【０００３】
ここで、例えば、特許文献１では、硬貨、紙幣、カードの収納が可能な二つ折りの財布が開示されている。同財布では、材料シートにおける硬貨収納部相当部における紙幣収納部相当部との境界部、硬貨収納部相当部の中央部それぞれで内側に折り込み、上下端縁部分を紙幣収納部相当部の片側半分の縁部に重ね合わせて縫着若しくは接着して硬貨収納部相当部の中央部を自由に持ち上げられる不縫着部とする硬貨収納部を形成している。さらに、材料シートにおけるカード収納部相当部における紙幣収納部相当部との境界部、カード収納部相当部の中央部それぞれで内側に折り込み、上下端縁部分を前記紙幣収納部相当部の他側半分の縁部に重ね合わせて縫着若しくは接着してカード収納部相当部の中央部を自由に持ち上げられる不縫着部とするカード収納部を形成している。
【先行技術文献】
【特許文献】
【０００４】
【特許文献１】実用新案登録第３２０１８６２号公報
【発明の概要】
【発明が解決しようとする課題】
【０００５】
しかしながら、特許文献１に開示された技術では、二つ折り財布の内側に、折りたたんだときに対向する位置関係で、カード収納部と硬貨収納部を設けており、それらが紙幣収納部の紙幣を支える構成であり、さらに、雄ホックと雌ホックを嵌め合わせることで、閉じた状態を維持する構成であることから、更に薄型化できる余地がある。
【０００６】
本発明は、このような課題に鑑みてなされたものであり、その目的とするところは、小型且つ薄型で、操作性が良好な財布を提供することにある。
【課題を解決するための手段】
【０００７】
上記課題を解決するため、本発明の第１の態様に係る財布は、外側本体部と内側本体部とが縫合された本体部と、前記本体部の角近傍において、前記本体部の内面との間に隙間を生むように、前記本体部の上辺と左右いずれかの辺との間にと延びた留め帯部材と、前記留め帯部材が設けられている前記左部分又は前記右部分のいずれかの下方の角に設けられた第１の札支え部と、前記留め帯部材が設けられていない前記左部分又は前記右部分のいずれかの下方の角に設けられた第２の札支え部と、を有し、前記本体部は中央で左右に折り曲げることで、見開きの状態から左部分と右部分を重ねた二つ折りの状態にすることができ、前記留め帯部材は、前記左部分又は前記右部分のいずれかの角近傍に設けられ、当該留め帯部材が設けられていない前記左部分又は前記右部分のいずれかの角を前記隙間に挿入することで前記二つ折りの状態となり、前記第１及び第２の札支え部は、大きい扇形から小さい扇形を切り抜いた２つの円弧を有する形状であり、前記第２の札支え部の内側の円弧の半径は、前記第１の札支え部の外側の円弧の半径以上である。
【０００８】
本発明の第２の態様に係る財布は、第１の態様において、前記留め帯部材の一端は、前記外側本体部に固定され、前記留め帯部材の他端は、前記内側本体部側から前記外側本体部側に折り返され、前記他端の先端は、前記外側本体部に設けられたボタン部に装着可能であり、前記他端の前記折り返しの際には、前記留め帯部材の幅方向の中心が、前記外側本体部の前記左部分の左辺又は前記右部分の右辺の中央よりも下の位置を通るように前記ボタン部が設けられている。
【００１０】
本発明の第３の態様に係る財布は、第１又は第２の態様において、前記第１及び第２の札支え部の前記円弧の中心角は９１度である。
【００１１】
本発明の第４の態様に係る財布は、第１乃至第３の態様において、前記外側本体部と、前記内側本体部の間には、カード収納部が設けられており、前記留め帯部材の一部は、前記カード収納部の挿入口の一部を封止可能である。
【００１２】
本発明の第５の態様に係る財布は、第１乃至第４の態様において、前記外側本体部の前記左部分又は前記右部分のうち、前記留め帯部材が設けられていない側には、略対角線状に開口部が設けられ、当該開口部にファスナー部材及び内布を縫合することで、小銭収納部を構成した。
【００１３】
本発明の第６の態様に係る財布は、第５の態様において、前記開口部の傾斜角は、前記外側本体部の左部分の左辺に対して４５度であり、その長さは９０ｍｍ以下である。
【発明の効果】
【００１４】
本発明によれば、小型且つ薄型で、操作性が良好な財布を提供することができる。
【図面の簡単な説明】
【００１５】
【図１】本発明の一実施形態に係る財布を閉じた状態を正面から見た斜視図である。
【図２】同財布を閉じた状態を背面から見た斜視図である。
【図３】同財布を開いた状態を内側から見た斜視図である。
【図４】スライドロック構造について説明する図である。
【図５】同財布を開いた状態を外側から見た平面図である。
【図６】同財布の内布の構成を示す図である。
【図７】同財布を開いた状態を内側から見た平面図である。
【図８】同財布の各パーツの構成を示す図である。
【発明を実施するための形態】
【００１６】
以下、図面を参照しつつ本発明の実施形態について説明する。
【００１７】
先ず、図１には、本発明の一実施形態に係る財布を閉じた状態を正面から見た斜視図を示し、図２には同財布を閉じた状態を背面から見た斜視図を示し、図３には同財布を開いた状態を内側から見た斜視図を示し、説明する。尚、以下に説明する構成は、左手持ち（右利き）に最適化された構成となっている。左右対称に左右の構成を取り換えることで右手持ち（左利き）に最適化することも可能である。
【００１８】
これらの図に示されるように、財布１は、外側本体部２と内側本体部３とを備え、これらを、重ね合わせ、外縁から所定長さ（この例では、２．５ｍｍ）のところで直線状に縫合することで一体化し、本体部となる。外側本体部２の右平面２Ａの右辺、及び内側本体部３の左平面３Ａの左辺を縫合する際には、詳細は後述するが、カード収納部９を構成する内布１１の一部が縫合される。内布１１が、外側本体部２及び内側本体部３と縫合される箇所では、外側本体部２と内側本体部３とは縫合されないので、カード収納部９のカード挿入口が形成される。なお、外側本体部２と内側本体部３は、革で構成されている。なお、外側本体部２の右平面２Ａと内側本体部３の左平面３Ａとが縫合された部分を財布１の右部分、外側本体部２の左部分２Ｂと内側本体部３の右平面３Ｂが縫合された部分を財布１の左部分という。
【００１９】
外側本体部２の右平面２Ａの右肩部には、留め帯部材（ストラップともいう）５の第１直線部５ａが縫合により固定される。このとき、留め帯部材５の第１直線部５ａの端部は、外側本体部２の右平面２Ａの右辺で折返し、外側本体部２とカード収納部９を構成する内布１１との間に縫合により固定される。留め帯部材５は、第１直線部５ａと第２直線部５ｂの間に屈曲部５ｄが介在することで、略Ｌ字形状となっているが、屈曲部５ｄは、留め帯部材５を、外側本体部２の右平面２Ａから内側本体部３の左平面３Ａへと折り返す役割を担う。この作用により、留め帯部材５の第１直線部５ａは、外側本体部２の右平面２Ａの右肩部に、右平面２Ａの右辺に対して４５度の傾斜角で右平面２Ａの上辺へ延びるような位置関係で縫合により固定され、留め帯部材５の第２直線部５ｂは、内側本体部３の左平面３Ａの上辺から左平面３Ａの左辺へと、上辺に対して約４５度の傾斜角で延びるような位置関係となり、第２直線部５ｂの端部５ｃは、内側本体部３の左平面３Ａから外側本体部２の右平面２Ａへと折り返し、略先端部に設けられたボタン部６が、外側本体部２の右平面２Ａに設けられた不図示のボタン部に嵌合することで、リング状となる。従って、留め帯部材５のリング状の空間（隙間）に、外側本体部２の左平面２Ｂと内側本体部３の右平面３Ｂが一体となった部分の上方の角を差し込むことで、財布１を二つ折りにした状態が維持される。なお、留め帯部材５は、革で構成されている。
【００２０】
内側本体部３の左平面３Ａの左下には、略扇形状の札支え部４Ａが、左平面３Ａの左辺と下辺に縫合により固定される。より詳細には、札支え部４Ａは、大きい扇形から小さい扇形を切り抜いた形状となっており、扇形の中心角は９０度より大きく９２度より小さい角度、好ましくは９１度となっているので、紙幣を収納しやすい撓みをもたらし、収納時には紙幣をしっかりとホールドすることが可能となる。内側本体部３の右平面３Ｂの右下には、略扇形状の札支え部４Ｂが、右平面３Ｂの右辺と下辺に縫合により固定される。より詳細には、札支え部４Ｂは、大きい扇形から小さい扇形を切り抜いた形状となっており、扇形の中心角は９０度より大きく９２度より小さい角度、好ましくは９１度となっているので、紙幣を収納しやすい撓みをもたらし、収納時には紙幣をしっかりとホールドすることが可能となる。なお、札支え部４Ａ，４Ｂは革で構成されている。
【００２１】
そして、特に特徴的なのは、札支え部４Ａと札支え部４Ｂとが、スライドロック構造を実現している点である。以下、スライドロック構造について、更に言及する。前述したように、札支え部４Ａも札支え部４Ｂも、大きい扇形から小さい扇形を切り抜いた形状となっているが、内側本体部３の右平面３Ｂの右下に配設されている札支え部４Ｂの内側の円弧４Ｂａの半径が、内側本体部３の左平面３Ａの左下に配設されている札支え部４Ａの外側の円弧４Ａａの半径と同じか、大きい関係となっている。従って、財布１を二つ折りにした際には、札支え部４Ｂの内側の円弧４Ｂａの下方に札支え部４Ａが完全に収まり、留め帯部材５の第２直線部５ｂで外側本体部２の左平面２Ｂが押圧され、内側本体部３の左平面３Ａと右平面３Ｂとが対向するような状態が維持されるので、財布１は、二つ折りの状態にロックされる。このロックされている状態時には、札支え部４Ｂの平面が札支え部４Ａに収納されている紙幣に当接し、札支え部４Ａの平面が札支え部４Ｂに収納されている紙幣に当接するので、両者の摩擦力もロック状態の維持に寄与する。以上説明したロック時の様子は、例えば、図４（ａ）、図４（ｂ）に示される。札支え部４Ａの外側の円弧４Ａａと札支え部４Ｂの内側の円弧４Ｂａの間には、隙間を設けてもよい。その場合、スライドロック操作に余裕を持たせることが可能となる。
【００２２】
一方、ロックを解除する際には、外側本体部２の左平面２Ｂと内側本体部３の右平面３Ｂとが一体となった本体部の下方の角を少し持上げるようにすれば、札支え部４Ｂと、札支え部４Ｂの内側の円弧４Ｂａの下方に収まっている札支え部４Ａとのロックを簡易に解除し、財布１を二つ折りの状態から、見開きの状態とすることができる。このように、札支え部４Ａと札支え部４Ｂの大小関係と、留め帯部材５の押圧力により、スライド操作により、簡易にロック状態の設定／解除が可能となる。
【００２３】
外側本体部２の左平面２Ｂには、左下の角近傍から右上の角近傍まで略対角線上に、開口部８が形成されており、当該開口部８に、縫合によりファスナー部材７や内布１２が固定される。この開口部８にファスナー部材７を固定する際には、詳細は後述するが、小銭収納部１０を構成する内布１２の一部も併せて縫合される。それにより、開口部８を一辺とし、外側本体部２の左平面２Ｂの右辺及び下辺に平行な２辺により構成される三角形状の小銭収納部１０が形成される。開口部８は、外側本体部２の下辺に対して４５度傾斜しており、制約された右平面２Ｂの中で最大のファスナー長（この例では、約９０ｍｍ）を取ることができるので、小銭の収納も簡易に行うことが可能となる。尚、開口部が広いので、小銭収納部１０には、各種鍵等を収納することも容易である。
【００２４】
次に、図５には、本発明の一実施形態に係る財布を開いた状態を外側から見た平面図を示し、図６には同財布の内布の構成を示し、図７には、同財布を開いた状態を内側から見た平面図を示し、図８には、同財布の各パーツの構成を示し、財布の各部の詳細な構成やサイズを例示して説明する。
【００２５】
図５に示されるように、外側本体部２は、縦９５ｍｍ、横２１０ｍｍとなっている。ファスナー部材７用の開口部８は、両端が直径１２ｍｍの円弧状となっており、その間は幅１２ｍｍの直線状となっている。開口部８は、外側本体部２の左平面２Ｂの下辺及び上辺から１７．５ｍｍのところに円弧中心が位置するように形成されている。開口部８は、最大長さが約９０ｍｍとなるので、小銭や鍵等を簡易に挿入することができる。留め帯部材５の第１直線部５ａは、その幅方向の中心が、外側本体部２の中央（４７．５ｍｍ）に位置するように、右平面２Ａの右辺に対して４５度の傾斜角で縫合される。内側本体部３側から折り返されて延びた端部５ｃは、その中心が外側本体部２の右平面２Ａの右辺の中央（４７．５ｍｍ）より下方を通るように折り返され、外側本体部２の右平面２Ａの右辺の下方から３０ｍｍ、下辺の右端から１０ｍｍのところに配設された本体側の不図示のボタン部に、ボタン部６が嵌合する位置関係となる。このように、端部５ｃが、外側本体部２の右平面２Ａの中央より下を少し偏心して通るようにボタン部の位置を工夫することで、留め帯部材５に内側傾斜する意図的な捻れを生み、それが、二つ折りする際の角の挿入をより簡易なものとしている。このほか、外側本体部２の四隅は、半径５ｍｍの円弧状となるように角が落とされている。
【００２６】
外側本体部２と内側本体部３の間には、カード収納部９が縫合により固定されるが、図６（ａ）は、カード収納部９を構成する内布１１の構成を示している。同図に示されるように、内布１１は縦７０ｍｍ、横１９０ｍｍであり、中央部で左右に折り畳み、上辺と下辺の重なり部分を縫合することで袋状となる。左右の重なり部分は、一方は外側本体部２に縫合され、他方は内側本体部３に縫合され、こうして財布の外側本体部２と内側本体部３の間に、挿入口を有するカード収納部９が形成される。左右の重なり部分の縫合の際には、挿入口が一般的なクレジットカードの幅よりも５ｍｍ程度大きくなるように、縫合範囲を規定する。これにより、必要最低限と考えるカード３枚程度を十分に収納することができる。また、財布１の上下を軽く押せば、挿入口が開くので、カードの出し入れも容易に行うことができる。
【００２７】
外側本体部２には、小銭収納部１０が縫合により固定されるが、図６（ｂ）は、小銭収納部１０を構成する内布１２の構成を示している。即ち、同図に示されるように、内布１２は、右肩部分が傾斜角４５で裁断され、略中央部で折りたたまれる。そして、裁断辺以外の重なり合う辺は縫合され、右肩の裁断端部は外側本体部２の開口部８の内側長尺部分に縫合される。その後、左部分が開口部８の外側長尺部分に縫合され、傾斜角４５で裁断される。これにより、財布１の内部に小銭収納部１０が形成される。なお、小銭収納部１０は、外側本体部２の左平面２Ｂの開口部８より上方の領域、つまり左角には形成されていないので、留め帯部材５に左端を差し込み二つ折りにする際に、小銭による厚み増加が差し込みに支障を与えることがない。
【００２８】
図７に示されるように、内側本体部３は、縦９５ｍｍ、横２０５ｍｍとなっている。留め帯部材５の屈曲部５ｄは、内側本体部３の左平面３Ａの上辺の左端から４７．５ｍｍのところを、その幅方向中心が通るように折り返され、端部５ｃの幅方向の中心が、左平面３Ａの左辺の中央（４７．５ｍｍ）より下を通るように折り返される。内側本体部３の左平面３Ａの左下方には、札支え部４Ａが、左平面３Ａの左辺と下辺に縫合により固定され、右平面３Ｂの右下方には、札支え部４Ｂが、右平面３Ｂの右辺と下辺に縫合により固定されている。札支え部４Ａ，４Ｂは、いずれも大きい扇形から小さい扇形を切り抜いたような形状となっている。より詳細には、図８（ａ）に示されるように、札支え部４Ａは、外側の円弧４Ａａの半径が５４ｍｍ、内側の円弧４Ａｂの半径が３０ｍｍ、円弧間の幅が２４ｍｍとなっており、いずれの円弧も中心角が９１度となっている。図８（ｂ）に示されるように、札支え部４Ｂは、外側の円弧４Ｂｂの半径が９０ｍｍ、内側の円弧４Ｂａの半径が５６ｍｍ、円弧間の幅が３４ｍｍとなっており、いずれの円弧も中心角が９１度となっている。この例では、内側本体部３は横２０５ｍｍであるが、札支え部４Ａ，４Ｂは、右辺又は左辺より２．５ｍｍのところで縫合されるので、伸縮性も加味すると、実際に札を収納できるのは、右辺又は左辺から５ｍｍより内側の部分である。例えば、日本の紙幣は横方向の幅が１５０−１６０ｍｍ程度であるが、紙幣を札支え部４Ｂの右端に詰めて収納しても、反対側の端が札支え部４Ａに掛かるサイズを実現している。さらに、札支え部４Ｂの円弧４Ｂａの弦の長さを、紙幣の縦の長さを越えない長さとしているので、札が外部にはみ出してしまうこともない。
【００２９】
図８（ｃ）、図８（ｄ）に示されるように、留め帯部材５は、本実施形態では、２つの留め帯部材５Ａ，５Ｂを貼り合わせることで実現される。
【００３０】
図８（ｃ）に示されるように、留め帯部材５Ａは、Ｌ字形状となっており、第１直線部５Ａａと、第２直線部５Ａｃとが、屈曲部５Ａｄを介して連続しており、この屈曲部５Ａｄで９０度に屈曲している。そして、第２直線部５Ａｂには端部５Ａｃが同一直線上に連続している。第１直線部５Ａａと当該第１直線部５Ａａに同一直線上で連続する屈曲部５Ａｄの一部は１００ｍｍ、第２直線部５Ａｂと端部５Ａｃ及び第２直線部５Ａｂと同一直線上で連続する屈曲部５Ａｄの一部は１２６ｍｍとなっている。幅は、１２ｍｍである。屈曲部５Ａｄは半径５ｍｍの円弧により緩やかに屈曲するように構成されている。また、第１直線部５Ａａの端部は４５度に傾斜している。これは外側本体部２に端部を折り込んで縫合する際に、折り込み先が外側本体部２の右平面２Ａの右辺と平行になるように工夫したものである。
【００３１】
図８（ｄ）に示されるように、留め帯部材５Ｂは、逆Ｌ字形状となっており、第１直線部５Ｂａと、第２直線部５Ｂｃとが、屈曲部５Ｂｄを介して連続しており、この屈曲部５Ｂｄで９０度に屈曲している。第１直線部５Ｂａと当該第１直線部５Ｂａに同一直線上で連続する屈曲部５Ｂｄの一部は８６ｍｍ、第２直線部５Ｂｂと第２直線部５Ｂｂと同一直線上で連続する屈曲部５Ｂｄの一部は１１１ｍｍとなっている。幅は、１２ｍｍである。屈曲部５Ｂｄは半径５ｍｍの円弧により緩やかに屈曲するように構成されている。また、第１直線部５Ｂａの端部は４５度に傾斜している。これは外側本体部２に端部を折り込んで縫合する際に、折り込み先が外側本体部２の右平面２Ａの右辺と平行になるように工夫したものである。
【００３２】
このような構成の留め帯部材５Ａ、５Ｂを貼り合わせて、縁を縫合することで一体化された留め帯部材５が実現される。その際、留め帯部材５Ａの端部５Ａｃは、折り込まれて、ボタン部６が配設される。なお、留め帯部材５Ａ，５Ｂとしては、本実施形態では、一般的に流通している革（ヌメ革）を使用しているが、コードバンやブライドルレザー等の伸縮しにくい革や、革以外の伸縮しにくい素材を採用すれば、１本でも実現することが可能である。その場合、端部は、革を漉くことで同様に構成することができる。
【００３３】
以上説明したように、本発明の実施形態によれば、以下の効果が奏される。
【００３４】
すなわち、外側本体部２と内側本体部３とが縫合された本体部と、本体部の角近傍において、本体部の内面との間に隙間を生むように、本体部の上辺と左右いずれかの辺との間に延びた留め帯部材５と、を有し、本体部は中央で左右に折り曲げることで、左部分と右部分を重ねることができ、留め帯部材５は、左部分又は右部分のいずれかの角近傍に設けられ、留め帯部材５が設けられていない左部分又は右部分のいずれかの角を隙間に挿入することで二つ折り状態となる財布が提供される。したがって、極めて薄型の二つ折り財布を実現することが可能となる。
【００３５】
さらに、留め帯部材５の一端は、前記外側本体部２に固定され、留め帯部材の他端は、内側本体部３側から外側本体部側２に折り返され、他端の先端は、外側本体部２に設けられたボタン部６に装着可能であり、他端の折り返しの際には、前記留め帯部材の幅方向の中心が、外側本体部２の左部分の左辺又は右部分の右辺の中央よりも下の位置を通るようにボタン部が設けられている。したがって、意図的な捻れを生み、それが留め帯部材５の内側傾斜をもたらし、操作性の向上に寄与することになる。
【００３６】
また、留め帯部材５が設けられている左部分又は右部分のいずれかの下方の角には第１の札支え部４Ａが設けられており、留め帯部材５が設けられていない左部分又は右部分のいずれかの下方の角には第２の札支え部４Ｂが設けられており、第１の札支え部４Ａ，第２の札支え部４Ｂは、大きい扇形から小さい扇形を切り抜いた２つの円弧を有する形状であり、第２の札支え部４Ｂの内側の円弧の半径は、第１の札支え部４Ａの外側の円弧の半径以上であってよい。したがって、前述したようなスライドロック構造が実現され、二つ折り状態を良好に維持できると共に、そのロック解除も容易に行うことができるので、操作性が極めて良好である。
【００３７】
さらに、第１の札支え部４Ａ及び第２の札支え部４Ｂの円弧の中心角は９０度より大きく９２度より小さい角度、好ましくは９１度であってよい。したがって、紙幣を収納しやすい撓みをもたらし、収納時には紙幣をしっかりとホールドすることが可能となる。
【００３８】
また、外側本体部２と、内側本体部２の間には、カード収納部９が設けられており、留め帯部材５の一部は、カード収納部９の挿入口の一部を封止可能である。従って、カード収納部９にカードを容易に出し入れできると共に、その収納時には、カードが財布１から飛び出さないように封止することが可能となる。
【００３９】
さらに、外側本体部２の左部分又は右部分のうち、留め帯部材５が設けられていない側には、略対角線状に開口部８が設けられ、開口部８にファスナー部材７及び内布１２を縫合することで、小銭収納部１０を構成している。従って、大きな開口を確保することができるので、小銭のほか、鍵の出し入れ等も容易に行うことが可能となる。
【００４０】
また、開口部８の傾斜角は、外側本体部２の左部分の左辺に対して４５度であり、その長さは９０ｍｍ以下である。従って、外側本体部２の限られた領域の中に、好適に開口を設けることが可能となる。
【００４１】
本発明の実施形態に係る財布は、キャッシュレス化が社会的に浸透する中、紙幣は１０枚くらいまで、小銭はできるだけ少なく、カードは３枚くらいまで、というボリュームを必要最低限ととらえているユーザには特に好適である。
【００４２】
以上、本発明の実施形態について説明したが、本発明はこれに限定されることなくその趣旨を逸脱しない範囲で種々の改良・変更が可能であることは勿論である。例えば、前述した財布を構成する各部のサイズは、一例にすぎず、これらに限定されない。
【００４３】
さらに、札支え部４Ａも札支え部４Ｂを、大きい三角形から小さい三角形を切り抜いた形状とし、内側本体部３の右平面３Ｂの右下に配設されている札支え部４Ｂの内側の弦の半径が、内側本体部３の左平面３Ａの左下に配設されている札支え部４Ａの外側の弦の半径と同じか、大きい関係となるようにしてもよい。その場合も、前述したスライドロック構造が実現されることは勿論である。
【００４４】
また、本発明の実施形態の主要な構成上の特徴は、二つ折りの長財布にも適用可能であることは勿論である。
【符号の説明】
【００４５】
１…財布
２…外側本体部
３…内側本体部
４Ａ…札支え部
４Ｂ…札支え部
５…留め帯部材
５ａ…直線部
５ｂ…直線部
５ｃ…端部
５ｄ…屈曲部
６…ボタン部
７…ファスナー部材
８…開口部
９…カード収納部
１０…小銭収納部
１１…内布
１２…内布
【要約】
【課題】小型且つ薄型で、操作性が良好な財布を提供する。
【解決手段】本発明は、外側本体部１と内側本体部２とが縫合された本体部と、本体部の角近傍において、本体部の内面との間に隙間を生むように、本体部の上辺から左右いずれかの辺へと延びた留め帯部材５と、を有し、本体部は中央で左右に折り曲げることで、左部分と右部分を重ねることができ、留め帯部材５は、左部分又は右部分のいずれかの角近傍に設けられ、当該留め帯部材が設けられていない左部分又は右部分のいずれかの角を前記隙間に挿入することで二つ折り状態となる財布である。
【選択図】図１【図１】
0006763627.tif 000002
【図２】
0006763627.tif 000003
【図３】
0006763627.tif 000004
【図４】
0006763627.tif 000005
【図５】
0006763627.tif 000006
【図６】
0006763627.tif 000007
【図７】
0006763627.tif 000008
【図８】
0006763627.tif 000009